(57)【要約】【課題】  電柱上部に装着される柱上開閉器あるいは腕金上に鳥類が営巣して配電線事故を誘発することを防止する。【解決手段】  柱上開閉器２を懸架している腕金３ａおよび腕金３ｂの上面に硬質の絶縁材料で構成された半筒体からなる営巣防止装置４を腕金３ａ、３ｂ上に固定する。上面を硬質な半筒体としたことで鳥類が営巣材料を空中から落としても営巣材料が営巣防止装置４および柱上開閉器２あるいは腕金３ａ、３ｂの上には滞積しないようにした。さらには、営巣防止装置４の腕金３ａ、３ｂと接触する下面および側面には突起５、突起６、磁石７が設けてあり、営巣防止装置４の腕金３ａ、３ｂからの横ずれと脱落を防止している。【選択図】図２
2010088415.tif 000002
【特許請求の範囲】
【請求項１】
電柱に設置された柱上開閉器あるいは腕金への鳥類の営巣を防止するための営巣防止装置であって、前記柱上開閉器の支持体あるいは腕金に設置され、表面を平滑に形成した電気的絶縁体の半筒体により構成されることを特徴とする営巣防止装置。
【請求項２】
前記営巣防止装置は、前記柱上開閉器の支持体あるいは腕金との接触面に横ずれ防止の突起が形成されていることを特徴とする請求項１に記載の営巣防止装置。
【請求項３】
前記営巣防止装置は、前記柱上開閉器の支持体あるいは腕金との接触面に磁石が設置されていることを特徴とする請求項１〜２に記載の営巣防止装置。
【請求項４】
前記営巣防止装置は、前記磁石を設置した部分が、腕金との接触面に対してツバ状に突起になっていることを特徴とする請求項１〜３に記載の営巣防止装置。
【請求項５】
前記営巣防止装置は、半筒体の長さが前記柱上開閉器の支持体あるいは腕金の取付間隔よりも短いことを特徴とする請求項１〜４に記載の営巣防止装置。
【請求項６】
前記営巣防止装置は、半筒体の頂点部分に突起が形成されていることを特徴とする請求項１〜５に記載の営巣防止装置。
【発明の詳細な説明】
【技術分野】
【０００１】  本発明は、電柱に設置された柱上開閉器および腕金への鳥類の営巣を防止するための鳥害防止装置に関するものである。
【背景技術】
【０００２】  一般に、電柱に設置された柱上開閉器や腕金には、カラスなどの鳥類が飛来して営巣しやすく、この営巣によって配電事故を発生させる恐れがある。発見された巣は電力会社によって撤去されるが、近年増加している多くの巣を撤去するには、多大の時間および労力を要すると共に、高所で撤去作業中の作業員が営巣時期の興奮したカラスに襲われるなどの危険を伴う。【０００３】  このような営巣を防止するため、例えば特許文献１〜３が開示するような手法が用いられている。特許文献１が開示する鳥害防止構造は、柱上開閉器の上面を分割するように遮蔽板を直立させることにより、鳥類の営巣スペースを無くしたものである。【０００４】  特許文献２が開示する鳥害防止構造は、柱上開閉器の支持体の上部を電柱基部から屋根型のカバーで覆うことにより、柱上開閉器を含めた高圧充電部への鳥類の接近を防止するものである。【０００５】  特許文献３が開示する鳥害防止構造は、平滑な平板を柱上開閉器の支持体の上部に設置し、鳥類が営巣材料を設置しようとしても営巣材料が平板上から滑り落ちるようにしたものである。
【特許文献１】特開平９−２８２７０号公報
【特許文献２】特開平９−２８２６７号公報
【特許文献３】特開２００６−２９６２７７号公報
【発明の開示】
【発明が解決しようとする課題】
【０００６】  ところが、特にその営巣が問題となっているカラスは、嘴に咥えてきた営巣材料を空中から落として巣の基礎を作るため、特許文献１のように、営巣スペースを遮蔽板で分割しても、遮蔽板間の空間に落とされた営巣材料が充電部およびケースに接触して地絡事故を起こす恐れがある。【０００７】  また、近年は洗濯業などで使用される金属性ハンガーが営巣材料となることが多く、この金属性ハンガーは自由に曲がることやフック部分があることから、特許文献１における遮蔽板間の空間に引っ掛かりやすく、これを足場として営巣されることがある。【０００８】  特許文献２のように、柱上開閉器を懸架している腕金より上部の電柱周囲全面をカバーで覆う方法は、通常、柱上開閉器は電柱から離れた位置で腕金に懸架されているので柱上開閉器の上面を覆うためには屋根型カバーの形状が大きくなってしまい、取り扱いが不便なだけではなく、強風時に風にあおられて飛散する危険性がある。【０００９】  また、特許文献２における屋根型カバーは、その構造を分割した部材を組み立てる構造としているが、各部材の接合部に隙間や段差ができるため営巣材料が引っ掛かりやすく、これを足場として営巣されることがある。【００１０】  特許文献３のように、柱上開閉器の上部全面を１枚の平板で遮蔽しようとすると平板の形状が大きくなってしまい、取り扱いが不便なだけではなく、強風にあおられて飛散する危険性がある。【００１１】  また、特許文献２や特許文献３の様に腕金をカバーで覆う方法では、柱上開閉器を懸架する腕金上には高圧ピン碍子やアレスター等の高圧絶縁部品が設置されていることから、これらの高圧絶縁部品や高圧電線を避けるためには、カバーに開口部が必要となることから、カバーの上部から落とされた営巣材料が開口部に引っ掛かりやすく、充電部に接触して地絡事故を起こす恐れがある。【００１２】  本発明は、柱上開閉器や腕金への鳥類の営巣をより確実に防止することができる営巣防止装置を提供することを目的としている。
【課題を解決するための手段】
【００１３】  上記課題に鑑み、本発明が提供する営巣防止装置は、電柱に設置された柱上開閉器や腕金への鳥類の営巣を防止するためのものであり、柱上開閉器を懸架している支持体や腕金の上部に電気絶縁材料で構成された半筒体を設置するものである。【００１４】  この構成によれば、絶縁体の半筒体で柱上開閉器や腕金の開口部を上方から覆うことにより、柱上開閉器や腕金への鳥類の営巣を防止すると共に、半筒体の上面を平滑面とすることにより、鳥類が落下させた営巣材料を滑らせて半筒体上への滞留を阻止し、鳥類の営巣を防止することができる。【００１５】  半筒体に落下した営巣材料を滑らせるには、半筒体の上面の表面粗さ（ＪＩＳ  Ｂ０６０１に規定の最大高さ）をＲｙ≦１ｍｍとするのがよい。これにより、営巣材料は、半筒体への落下時の勢いによって、あるいは半筒体上に載った後に自然の風の力によって、半筒体から容易に滑り落ちるので、営巣をその初期段階で阻止することができる。【００１６】  半筒体の大きさを柱上開閉器を懸架する腕金の幅と同等以上に設定することにより、半筒体の縁から落ちた営巣材料が腕金の外方を通過するようにして、腕金や柱上開閉器への営巣材料の引っ掛かりを阻止することができる。さらに、柱上開閉器の充電部に接触することによる地絡事故を防止することができる。【００１７】  半筒体は、１種類の材料からなる板でもよく、内部が空洞になった樹脂成形品でもよいが、少なくとも上面がデュロメータ硬さ（ＪＩＳ  Ｋ７２１５）でＤ５０以上の硬さを有するようにする。そうすれば、半筒体上に落下した営巣材料や鳥の飛来による上面部の陥没を防ぐことができ、この陥没によって半筒体の上面の平滑度が低下することを防止することができる。【００１８】  また、半筒体の少なくとも上面に弾性を持たせることによって、半筒体に落下した営巣材料を弾いて、その勢いによって営巣材料を半筒体の縁から落下させやすくすると共に、半筒体上面部への営巣材料の食い込みによる定着を防止することができる。【００１９】  形状を半筒体とすることにより、鳥類がとまる足がかりを無くして、その糞害を防止することができる。つまり、幾つかの平面で構成されたカバーの場合は、各平面の端縁が鳥類の足がかりとなりやすいが、半筒体の上面は曲面で構成されているので鳥類の足がかりとなる端縁がなくなり、鳥類が半筒体にとまることを阻止することができる。これにより、鳥類の糞による地絡事故や、鳥類の糞によって半筒体の上面の平滑度が損なわれることを防止することができる。【００２０】  半筒体を電気的絶縁体から形成すれば、鳥類が落下させた営巣材料が充電部に接触した場合にも、半筒体を介する地絡を防止することができる。電気的絶縁体としては、硬質塩化ビニル、ポリエチレン、ポリプロピレン等が例示することができる。【００２１】  柱上開閉器は電柱に固定された腕金に懸架されるので、半筒体を腕金よりも上方に設ければ、半筒体上に落下した営巣材料が腕金に引っ掛からずにすみ、腕金が営巣材料の滑りを阻害することを防止することができる。【００２２】  半筒体が腕金と接触する面、すなわち下面に腕金の間隔に合わせて突起を設けることにより、半筒体を柱上開閉器上方の腕金に設置するときの横ずれを防止することができると共に、腕金との位置合わせが不要になるなど、熟練を要することなく短時間で設置することができる。さらに振動や風による設置後のずれも防止することができる。【００２３】  柱上開閉器を懸架する支持体や腕金は、通常鉄製であることから、半筒体が腕金と接触する部分に磁石を組み込むことにより、半筒体が磁石により腕金に吸着される。これにより、鳥害防止装置の施工時に半筒体を腕金の上に置くだけで、半筒体が腕金に吸着され、不要の落下を防止することができる。【００２４】  半筒体が腕金と接する部分の上面のツバの突出量に対して、磁石部分の突出量を大きくしている。これにより、上面のツバの突出量を小さくても磁石部分で落下を防ぐことができる。さらには、腕金上部に高圧ピン碍子やアレスター等の高圧絶縁部品が装着されていても半筒体の上面のツバへの接触を防止できる。【００２５】  腕金上部に設置される高圧ピン碍子やアレスター等の高圧絶縁部品の取付け間隔は、２本の腕金の間隔に等しいかそれ以上の間隔であることから、半筒体が設置される２本の腕金の幅に対して、半筒体の長さを短くすることにより、半筒体と高圧絶縁部品の取付けボルトや取り付けバンドとの接触を避けることができる。【００２６】  半筒体の上面頂部に縦方向に突起を設けることにより、冬期に降雪により半筒体頂部に積雪があっても、この突起により積雪は自重で分割し半筒体曲面を滑落するので鳥害防止装置に積雪して、積雪が充電部と接触することによる地絡を防止することができる。
【発明の効果】
【００２７】  以上のとおり、本発明によると、電柱に設置された柱上開閉器あるいは腕金開口部を半筒体で上方から覆い、かつ、半筒体の上面を平滑としているので、柱上開閉器あるいは腕金開口部への営巣を防止すると共に、半筒体への営巣材料の滞留を阻止して、半筒体への営巣をも防止することができる。これにより、鳥類の営巣や糞害による地絡などの配電事故を防止することができる。【００２８】  また、半筒体の取付面には、柱上開閉器を懸架する支持体あるいは腕金に合わせて突起や磁石を組み込むことにより、腕金との位置合わせが容易になり、取り付け時の落下を防止できるなど、熟練を要することなく短時間で設置することができる。
【発明を実施するための最良の形態】
【００２９】  以下、本発明に係わる営巣防止装置を実施するための最良の形態について、図面を用いて説明する。なお、本実施形態では、柱上変圧器の支持体として腕金を使用し、柱上変圧器上に営巣防止装置を設置した形態を示すが、これに限定されるものではない。【００３０】  図１は、本発明に係わる営単防止装置を設けた柱上開閉器の斜視図、図２は営巣防止装置とそれを設けた腕金の側面図、図３は営巣防止装置とそれを設けた腕金の上面図である。【００３１】  この営巣防止装置４は、電柱１に設置された柱上開閉器２および腕金３ａ、３ｂへの鳥類の営巣を防止するためであり、柱上開閉器２が懸架されている腕金３ａ、３ｂの上部に半筒体の営巣防止装置４を設けた構成とされる。【００３２】  柱上開閉器２は、電柱１の柱上にボルトあるいはバンドで固定された腕金３ａに懸架されている。電柱１を挟んで腕金３ａと反対側には、腕金３ａと平行な腕金３ｂが設置される。鳥害防止装置４は、この腕金３ａと腕金３ｂを跨いで設置され、インシュロック、コーティングバンド、バインド線等の把持部材で腕金３ａ、腕金３ｂに固定されている。【００３３】  なお、柱上開閉器２の直上に耐張２連碍子１１、アレスター等の充電部が近接して設置される場合には、この腕金３ａおよび３ｂに高圧ピン碍子、オツスト等の部材が設置されることがある。【００３４】  営巣防止装置４は、たとえばポリエチレンなどの電気絶縁体から形成され、６ｋＶ以上の高電圧が充電されている電線９、本線１０、柱上開閉器２などの充電部に、鳥類が落下させた営巣材料が接触しても、営巣防止装置４を介する地絡が生じないようになっている。【００３５】  営巣防止装置４の上面は、その表面粗さが最大高さ（ＪＩＳ  Ｂ０６０１）でＲｙ≦１ｍｍの平滑面に設定され、鳥類が落下させた営巣材料をその落下時の勢いによって、あるいは、上面に載った後の自然の風の力によって滑り落とすようになっている。【００３６】  営巣防止装置４の硬さは、デュロメータ硬さ（ＪＩＳ  Ｋ  ７２１５）でＤ５０以上の硬さとされ、鳥類が落下させた営巣材料を勢いよく弾いて滑らせると共に、営巣材料の落下や鳥類の飛来による陥没を防いで平滑度の低下を阻止し、落下してきた営巣材料の食い込み定着を防止するようになっている。【００３７】  営巣防止装置４の強度は、曲げ強さが５０ＭＰａ以上、引っ張り強さが３０ＭＰａ以上の材料を使用することにより、電柱１の上部において台風などの強風に耐え、かつ、把持部材の締結力に耐え得る強度とされる。【００３８】  なお、営巣防止装置４の形状が半筒体を成していることから、軟質で傷つきやすいポリエチレンを使用しても、上面への営巣材料の落下などによる平滑度の低下はない。絶縁材料として通常使用されるゴムは、特に軟質であり、落下してきた営巣材料が食い込んで定着するおそれがある。【００３９】  図２に示すように、鳥害防止装置４が腕金３ａおよび腕金３ｂと接する側面には、突起５が設けられている。これにより、鳥害防止装置４の施工時に突起５が腕金３ａ、３ｂの間に入り込み、位置合わせが簡略化され、取付け作業に熟練をようしない。【００４０】  上記構成によれば、図中で左右方向にずれることがなくなることから、柱上での強風や振動による鳥害防止装置４の落下を防止することができる。【００４１】  鳥害防止装置４を腕金３ａおよび腕金３ｂの上面に安定して設置するために突起部６が設けられている。さらに突起部６の一部分には磁石７が突出して内蔵されている。腕金３ａ、３ｂの材質は鉄であることから、磁石７が腕金３ａ、３ｂに対して吸引力を持たせている。この吸引力は、鳥害防止装置４を腕金３ａ、３ｂの上面に仮置きしても、風や振動では簡単に外れない強さに設定されている。これにより、施工時に鳥害防止装置４を腕金３ａ、３ｂの上に載せ、インシュロック等で固定する間の時間に鳥害防止装置４から手を離しても落下することがなくなり、施工が容易になる。【００４２】  また、突起部６の突出量は腕金３ａ、３ｂの幅の１／２以下に設定されており、磁石７を埋入した部分のみが、突起６よりさらに突出している。これにより、腕金３ａ、３ｂ上にボルトなどの突出部材が設置されていても、鳥害防止装置４の突起部６が突出部材と干渉することがほとんど無くなる。【００４３】  さらに、鳥害防止装置４の長さＢは、２本の腕金３ａと３ｂの取付間隔Ａより短くなっている。これにより、腕金３ａ、３ｂ上にボルトなどの突出部材により高圧ピン碍子やアレスター等の高圧絶縁部材が設置されていても、鳥害防止装置４と干渉することがほとんど無くなる。【００４４】  鳥害防止装置４の上面頂点には、突起８が長手方向に設けられている。降雪により鳥害防止装置４の上面に積雪しても、積雪の自重により突起８に食い込むことによって積雪が分割され、鳥害防止装置４から滑り落ちる。これにより、積雪による充電部の地絡事故を防止することができる。【００４５】なお、本発明は、上記の実施形態に限定されるものではなく、本発明の範囲内において、適宜変更を加えることができる。例えば、鳥害防止装置４の材質は、ポリエチレンに限らず、塩化ビニルやポリカーボネート等を採用してもよい。
【図面の簡単な説明】
【図１】本発明を腕金に取り付けた時の斜視図
【図２】取付状態の側面図
【図３】取付状態の上面図
【符号の説明】
１  電柱
２  柱上開閉器
３  腕金
４  営巣防止装置
５  突起（下面）
６  突起（側面）
７  磁石
８  突起（上面）
【図１】
2010088415.tif 000003
【図２】
2010088415.tif 000004
【図３】
2010088415.tif 000005